(57)【特許請求の範囲】
【請求項１】
媒体搬送路に沿って搬送されている処理対象媒体を処理する１または複数の媒体処理部を有する媒体処理装置に設けるクリーニング媒体収納ユニットであって、
前記媒体搬送路から分岐させた分岐路にクリーニング媒体を収納する収納空間を配置し、
前記媒体搬送路への前記収納空間に収納している前記クリーニング媒体の繰り出し、および前記媒体搬送路を搬送されている前記クリーニング媒体を前記収納空間に収納する繰出／収納部材と、
前記繰出／収納部材の駆動方向を制御し、前記クリーニング媒体の搬送方向を制御する駆動制御部と、
前記繰出／収納部材を、前記収納空間に収納している前記クリーニング媒体を押圧する第１の状態と、前記収納空間に収納している前記クリーニング媒体から離間する第２の状態との間で、その状態を切り替える状態切替部と、を備え、
前記状態切替部は、前記クリーニング媒体を前記媒体搬送路に沿って搬送するクリーニング動作時であるとき前記繰出／収納部材を一時的に前記第１の状態にし、前記クリーニング動作時でないとき前記繰出／収納部材を前記第２の状態にする、クリーニング媒体収納ユニット。
【請求項２】
前記状態切替部は、前記繰出／収納部材を取り付けたアームを駆動し、前記第１の状態と、前記第２の状態との間で、その状態を切り替える、請求項１に記載のクリーニング媒体収納ユニット。
【請求項３】
繰出／収納部材は、複数のローラに張架したベルトである、請求項１、または２に記載のクリーニング媒体収納ユニット。
【請求項４】
媒体搬送路に沿って搬送されている処理対象媒体を処理する１または複数の媒体処理部を有する媒体処理装置であって、
前記媒体搬送路から分岐させた分岐路にクリーニング媒体を収納する収納空間を配置し、
前記媒体搬送路への前記収納空間に収納している前記クリーニング媒体の繰り出し、および前記媒体搬送路を搬送されている前記クリーニング媒体を前記収納空間に収納する繰出／収納部材と、
前記繰出／収納部材の駆動方向を制御し、前記クリーニング媒体の搬送方向を制御する駆動制御部と、
前記繰出／収納部材を、前記収納空間に収納している前記クリーニング媒体を押圧する第１の状態と、前記収納空間に収納している前記クリーニング媒体から離間する第２の状態との間で、その状態を切り替える状態切替部と、を備え、
前記状態切替部は、前記クリーニング媒体を前記媒体搬送路に沿って搬送するクリーニング動作時であるとき前記繰出／収納部材を一時的に前記第１の状態にし、前記クリーニング動作時でないとき前記繰出／収納部材を前記第２の状態にする、媒体処理装置。
【発明の詳細な説明】
【技術分野】
【０００１】
この発明は、媒体に対して磁気データを記録する磁気ヘッドや、印字を行う印字ヘッド等をクリーニングするクリーニング媒体を収納するクリーニング媒体収納ユニット、および、このクリーニング媒体収納ユニットを備える媒体処理装置に関する。
【背景技術】
【０００２】
従来、媒体を発行する装置や、投入された媒体を処理する媒体処理装置は、媒体に対して磁気データの記録や読取を行う処理部や、媒体に対して印字を行う処理部等を備えている。この種の媒体処理装置には、乗車券を発券する発券装置や、取引内容を印字したレシートを発行する明細票発行装置等がある。
【０００３】
この種の媒体処理装置は、媒体に対する処理を繰り返すことによって、磁気ヘッドや印字ヘッド等に汚れが付着する。また、媒体からでる紙粉が、媒体を搬送する搬送路に溜まる。この汚れや、紙粉が原因となって、媒体に対する磁気データの記録不良、印字不良、さらには搬送不良等を引き起こすことがある。
【０００４】
そこで、適当なタイミングで、磁気ヘッド、印字ヘッド、搬送路等に付着している汚れをクリーニングすることが提案されている。例えば、特許文献１では、媒体処理装置本体内部に、磁気ヘッド、印字ヘッド、搬送路等をクリーニングするクリーニング媒体を格納する格納部を設け、適当なタイミングで、この格納部からクリーニング媒体を繰り出し、搬送路に沿って搬送する構成を提案している。
【先行技術文献】
【特許文献】
【０００５】
【特許文献１】特開平４−３４１４３９号公報
【発明の概要】
【発明が解決しようとする課題】
【０００６】
しかしながら、格納部に格納しているクリーニング媒体を搬送路に繰り出したり、搬送路側からクリーニング媒体を格納部に送り込んで収納するために、ベルトやローラ等の駆動部材を、格納部におけるクリーニング媒体の出入口に設ける必要がある。
【０００７】
また、上述のクリーニング媒体は、磁気ヘッド、印字ヘッド、搬送路等のクリーニングが十分に行えるように、アルコール等の洗浄液を染み込ませている。
【０００８】
クリーニング媒体は、磁気ヘッド、印字ヘッド、搬送路等をクリーニングするときに、一時的に格納部から繰り出されるだけである。また、このクリーニング媒体を格納部から繰り出したり、格納部に収納するベルトやローラ等の駆動部材は、格納部に格納しているクリーニング媒体に当接している。したがって、このクリーニング媒体を格納部から繰り出したり、格納部に収納するベルトやローラ等の駆動部材は、アルコール等の洗浄液を染み込ませているクリーニング媒体に当接している時間が長く、化学反応により劣化しやすい。その結果、この駆動部材の交換にともなう保守コストを増大させる等の問題があった。
【０００９】
この発明の目的は、収納空間に収納しているクリーニング媒体を媒体搬送路に繰り出したり、媒体搬送路側からクリーニング媒体を収納空間に送り込んで収納するベルトやローラ等の繰出／収納部材の劣化速度を抑えることで、この駆動部材の交換にともなう保守コストを低減するクリーニング媒体収納ユニットを提供することにある。
【００１０】
また、この発明は、上述のクリーニング媒体収納ユニットを備えた媒体処理装置を提供することにある。
【課題を解決するための手段】
【００１１】
この発明のクリーニング媒体収納ユニットは、媒体搬送路に沿って搬送されている処理対象媒体を処理する１または複数の媒体処理部を有する媒体処理装置に備えられる。ここで言う、媒体処理部は、磁気ヘッドを備え処理対象媒体に対して磁気データの記録や読取を行う磁気データ処理部や、印字ヘッドを備え処理対象媒体に対して文字や記号を印字する印字処理部等である。
【００１２】
クリーニング媒体収納ユニットは、クリーニング媒体を収納する収納空間を、媒体搬送路から分岐させた分岐路に配置している。繰出／収納部材は、ベルトやローラ等であり、収納空間に収納しているクリーニング媒体を媒体搬送路へ繰り出したり、媒体搬送路側からクリーニング媒体を収納空間に送り込んで収納する。
【００１３】
駆動制御部は、繰出／収納部材の駆動方向を制御し、クリーニング媒体の搬送方向を選択的に制御する。すなわち、駆動制御部は、繰出／収納部材の駆動方向を、収納空間に収納しているクリーニング媒体を媒体搬送路へ繰り出す方向、または媒体搬送路を搬送されているクリーニング媒体を収納空間に送り込んで収納する方向に、選択的に制御する。
【００１４】
さらに、状態切替部は、繰出／収納部材を、収納空間に収納しているクリーニング媒体を押圧する第１の状態と、収納空間に収納しているクリーニング媒体から離間する第２の状態との間で、その状態を切り替える。また、この状態切替部は、クリーニング媒体を媒体搬送路に沿って搬送するクリーニング動作時であるとき繰出／収納部材を一時的に第１の状態にし、クリーニング動作時でないとき繰出／収納部材を第２の状態にする。
【００１５】
これにより、収納空間に収納しているクリーニング媒体を媒体搬送路へ繰り出したり、媒体搬送路を搬送されているクリーニング媒体を収納空間に送り込んで収納するときに、繰出／収納部材をクリーニング媒体に当接させ、それ以外のときに、収納空間に収納しているクリーニング媒体から、繰出／収納部材を離間させておくことができる。したがって、収納空間に収納しているクリーニング媒体に、アルコール等の洗浄液を染み込ませていても、化学反応による繰出／収納部材の劣化速度が十分に抑えられる。
【００１６】
また、この発明は、上述のクリーニング媒体収納ユニットを備える媒体処理装置である。
【発明の効果】
【００１７】
この発明によれば、収納空間に収納しているクリーニング媒体を媒体搬送路に繰り出したり、媒体搬送路側からクリーニング媒体を収納空間に送り込んで収納するベルトやローラ等の繰出／収納部材の劣化速度が抑えられるので、この繰出／収納部材の交換にともなう保守コストを低減することができる。
【図面の簡単な説明】
【００１８】
【図１】発券装置の主要部の構成を示すブロック図である。
【図２】発券装置の内部を示す概略図である。
【図３】発券装置の外観を示す概略図である。
【図４】クリーニング媒体収納部の構成を示す概略図である。
【図５】クリーニング媒体収納部の構成を示す概略図である。
【図６】発券装置のクリーニング動作を示すフローチャートである。
【発明を実施するための形態】
【００１９】
以下、発券装置を例にして、この発明の実施形態を説明する。
【００２０】
図１は、この発券装置の主要部の構成を示すブロック図である。図２は、この発券装置の内部を示す概略図である。図３は、この発券装置の外観を示す概略図である。この発券装置１は、制御部２と、搬送部３と、磁気データ処理部４と、印字処理部５と、カット部６と、クリーニング媒体収納部７と、操作部８と、表示部９と、を備えている。
【００２１】
この発券装置１は、発券する乗車券に対して、乗車券情報を磁気データで記録するとともに、乗車券情報を印字する。
【００２２】
制御部２は、発券装置１本体各部の動作を制御する。
【００２３】
搬送部３は、媒体搬送路３ａに沿って乗車券や、後述するクリーニング媒体７ａ等を搬送する。媒体搬送路３ａは、図２に示すように、ロール紙１０ａを収納するロール紙収納部１０と、装置本体前面の発券口１１とを結んでいる。また、媒体搬送路３ａには、装置本体前面の券挿入口１２につながる分岐路や、後述するクリーニング媒体収納部７につながる分岐路等が形成されている。ロール紙１０ａは、一方の面（裏面）に磁気シートを貼付したものである。
【００２４】
カット部６は、発行する券（乗車券）の長さに応じてロール紙１０ａをカットする。搬送部３は、カット部６がカットした券を媒体搬送路３ａに沿って搬送する。
【００２５】
印字処理部５は、媒体搬送路３ａに沿って搬送されている券の表面（磁気シートを貼付していない面）に、発行する券に応じた文字や記号等（乗車券情報）を印字する。印字処理部５の印字ヘッド５ａは、例えばサーマルヘッドであり、媒体搬送路３ａに沿って搬送される券の表面に対向する位置に配置している。印字処理部５は、印字を行う際に、印字ヘッド５ａを、搬送部３が媒体搬送路３ａに沿って搬送している券の表面に押圧する。
【００２６】
磁気データ処理部４は、媒体搬送路３ａに沿って搬送されている券の裏面に貼付している磁気シートに対して、発行する券に応じた磁気データの記録や、記録されている磁気データの読取を行う。磁気データ処理部４は、媒体搬送路３ａに沿って搬送される券の裏面に対向する位置に２つの磁気ヘッド４ａを配置している。一方が、磁気データの記録に用いる記録用の磁気ヘッド４ａであり、他方が磁気データの読取に用いる読取用の磁気ヘッド４ａである。磁気データ処理部４は、磁気データを記録する際に、記録用の磁気ヘッド４ａを搬送部３が媒体搬送路３ａに沿って搬送している券の裏面（磁気シート）に押圧する。また、磁気データ処理部４は、磁気データを読み取る際に、読取用の磁気ヘッド４ａを搬送部３が媒体搬送路３ａに沿って搬送している券の裏面（磁気シート）に押圧する。
【００２７】
クリーニング媒体収納部７は、クリーニング媒体７ａを収納する収納空間７０ａを有している。この収納空間７０ａは、分岐路によって媒体搬送路３ａに接続している。クリーニング媒体７ａは、アルコール等の洗浄液を染み込ませたカード状の媒体である。搬送部３が、このクリーニング媒体７ａを媒体搬送路３ａに沿って搬送することで、磁気ヘッド４ａ、印字ヘッド５ａ、媒体搬送路３ａ等のクリーニングを行う。このクリーニング媒体収納部７が、この発明で言うクリーニング媒体収納ユニットに相当する。クリーニング媒体収納部７の詳細については後述する。
【００２８】
操作部８は、発券装置１に対する入力操作を行うキーを有する。表示部９は、装置本体前面に設けた表示器９ａにおける表示を制御する。
【００２９】
なお、この発券装置１は、駅係員が操作する操作端末と接続され、当該操作端末からの指示にしたがって、乗車券を発券する。また、この発券装置１は、乗車券にパンチ孔を開けるパンチ部や、乗車券を回収する回収部等を備えることもある。
【００３０】
ここで、この発券装置１の発券動作について簡単に説明しておく。
【００３１】
発券装置１は、操作端末から乗車券の発券が指示されると、搬送部３がロール紙１０ａを引き出し、引き出したロール紙１０ａをカット部６で発券する乗車券に応じた長さにカットする。搬送部３は、カット部６でカットされた乗車券（ロール紙１０ａ）を印字ヘッド５ａ、磁気ヘッド４ａを経由して発券口１１へ搬送する。印字処理部５は、カット部６でカットされた乗車券の表面に印字ヘッド５ａを押圧し、乗車券情報にかかる文字や記号を発券する乗車券に印字する。また、磁気データ処理部４は、カット部６でカットされた乗車券の裏面に磁気ヘッド４ａを押圧し、乗車券情報を発券する乗車券に磁気データで記録する。搬送部３は、印字処理部５が乗車券情報を印字し、磁気データ処理部４が乗車券情報を磁気データで記録した乗車券を発券口１１に放出する。発券装置１は、搬送部３が乗車券を発券口１１に放出すると、今回の乗車券の発券動作を終了する。
【００３２】
なお、搬送部３は、ロール紙１０ａをカット部６で発券する乗車券に応じた長さにカットすると、ロール紙１０ａの引き出しを停止する。
【００３３】
次に、クリーニング媒体収納部７について詳細に説明する。図４は、クリーニング媒体収納部の構成を示す概略図である。
【００３４】
クリーニング媒体収納部７は、収納部材７０と、第１のアーム７１と、第２のアーム７２と、ソレノイド７３と、繰出／収納ベルト７４とを有している。
【００３５】
収納部材７０には、カード状のクリーニング媒体７ａを収納する収納空間７０ａが形成されている。収納空間７０ａは、上述したように、分岐路によって媒体搬送路３ａに接続している。収納空間７０ａは、媒体搬送路３ａ側に位置する面が開口面である。収納空間７０ａの幅は、図４に示すように、クリーニング媒体７ａの厚さよりも少し大きい。また、収納空間７０ａの深さは、クリーニング媒体７ａの搬送方向の長さよりも短く、収納しているクリーニング媒体７ａの先端部（媒体搬送路３ａ側の端部）が突出する。収納部材７０は、発券装置本体のフレームや、他のアーム等に回転自在に取り付けている。図４に示す７０ｂが、収納部材７０を取り付けている回転軸である。
【００３６】
第１のアーム７１は、図４に示すように、略Ｊ字形状である。第１のアーム７１の一端には、２つのローラ７４ａ、７４ｂを回転自在に取り付け、繰出／収納ベルト７４を、これらのローラ７４ａ、７４ｂに張架している。繰出／収納ベルト７４は、無端ベルトである。ローラ７４ａ、７４ｂの回転軸は平行である。また、一方のローラ７４ａは、図示していないモータ等の駆動原に接続している。駆動源は、ローラ７４ａの回転方向を、時計方向、または反時計方向に切り替えることができる。
【００３７】
第１のアーム７１は、図４に示すように、繰出／収納ベルト７４が収納空間７０ａに収納されているクリーニング媒体７ａの先端部に対向する位置に取り付けている。第１のアーム７１は、他端が発券装置本体のフレームや、他のアーム等に回転自在に取り付けている。図４に示す７１ａが、収納部材７０を取り付けている回転軸である。第１のアーム７１が、回転軸７１ａで回動することにより、繰出／収納ベルト７４が収納空間７０ａに収納されているクリーニング媒体７ａの先端部に対して接離する方向に移動する。
【００３８】
第２のアーム７２は、一端を第１のアーム７１に固定している。図４に示す７２ａが、第１のアーム７１と、第２のアーム７２との連結点である。また、第２のアーム７２の他端には、ソレノイド７３を取り付けている。
【００３９】
また、図中に示すバネ８０、８１は、収納部材７０、および第１のアーム７１に付勢力を作用させる。バネ８０は、収納部材７０と、第１のアーム７１とをつないでいる。バネ８１は、第１のアーム７１と、発券装置１本体とをつないでいる。
【００４０】
また、図中に示すローラ８２、８３は、クリーニング媒体７ａを挟持して、媒体搬送路３ａへ繰り出す方向に搬送したり、収納空間７０ａに収納する方向に搬送する一対のローラである。一方のローラ８２が駆動ローラであり、他方のローラが従動ローラである。ローラ８２の回転制御は、搬送部３によって行われる。
【００４１】
図４は、ソレノイド７３が第２のアーム７２を引いていない状態であり、図５は、ソレノイド７３が第２のアーム７２を図中に矢示する方向に引いた状態である。制御部２が、ソレノイド７３を制御する。
【００４２】
図４に示すように、ソレノイド７３が第２のアーム７２を引いていない状態であるとき、収納部材７０の収納空間７０ａに収納されているクリーニング媒体７ａと、第１のアーム７１の一端に回転自在に取り付けているローラ７４ａ、７４ｂに張架した繰出／収納ベルト７４と、は離間している。
【００４３】
ソレノイド７３が第２のアーム７２を引くと、図５に示すように、連結点７２ａに加わる力によって、第１のアーム７１が回転軸７１ａを中心にして回動し、収納部材７０を押圧する。第１のアーム７１は、繰出／収納ベルト７４が直接、またはクリーニング媒体７ａを介して収納部材７０を押圧する。収納部材７０は、回転軸７０ｂを中心にして回動する。繰出／収納ベルト７４は、バネ８０、８１の付勢力によって、クリーニング媒体７ａを繰り出したり、収納するのに必用な押圧力が得られる。
【００４４】
また、収納部材７０が回動することにより、収納空間７０ａから繰り出されたクリーニング媒体７ａは、一対のローラ８２、８３間に送り出される。また、一対のローラ８２、８３が挟持して収納部材７０側に搬送されてきたクリーニング媒体７ａは、収納空間７０ａへ収納される。
【００４５】
また、図中に示すバネ８０、８１は、ソレノイド７３が第２のアーム７２を戻したときに、収納部材７０、および第１のアーム７１を図４に示す位置に戻す付勢力を作用させる。
【００４６】
次に、この発券装置１におけるクリーニング動作について説明する。発券装置１は、例えば、操作部８に設けられたクリーニング動作開始指示ボタンが押下されたときや、予め定めた時刻になったときや、前回のクリーニング動作後に処理した乗車券の枚数が予め定めた枚数に達したとき、にクリーニング動作を開始する。
【００４７】
図６は、クリーニング動作を示すフローチャートである。発券装置１は、クリーニング動作の開始タイミングであるかどうかを判断する（ｓ１）。このとき、クリーニング媒体収納部７は、図４に示す状態である。すなわち、収納空間７０ａにクリーニング媒体７ａが収納されていても、繰出／収納ベルト７４が、クリーニング媒体７ａから離間した状態である。
【００４８】
発券装置１は、ｓ１でクリーニング動作の開始タイミングであると判定すると、収納空間７０ａにクリーニング媒体７ａが収納されているかどうかを判定する（ｓ２）。
【００４９】
発券装置１は、ｓ２で収納空間７０ａにクリーニング媒体７ａが収納されていないと判定すると、表示部９がクリーニング媒体７ａを券挿入口１２に挿入することを促すメッセージを表示器９ａに表示する（ｓ３）。発券装置１は、クリーニング媒体７ａが券挿入口１２に挿入されると（ｓ４）、挿入されたクリーニング媒体７ａを媒体搬送路３ａに沿って収納空間７０ａへ搬送する（ｓ５）。
【００５０】
媒体搬送路３ａに沿って券挿入口１２から収納空間７０ａに搬送されているクリーニング媒体７ａが、磁気ヘッド４ａや、印字ヘッド５ａに当接し、この磁気ヘッド４ａや、印字ヘッド５ａをクリーニングする。また、媒体搬送路３ａに溜まっている紙粉等のクリーニングも同時に行う。
【００５１】
また、発券装置１の制御部２は、ソレノイド７３を制御し、第２のアーム７２を引き（ｓ６）、ローラ８２、８３によって挟持され、収納空間７０ａ側に搬送されてきたクリーニング媒体７ａを、繰出／収納ベルト７４で収納空間７０ａに収納する。このとき、繰出／収納ベルト７４は、クリーニング媒体７ａを収納空間７０ａに収納する方向に回転している。
【００５２】
発券装置１の制御部２は、クリーニング媒体７ａを収納空間７０ａに収納すると（ｓ７）、ソレノイド７３を制御し、第２のアーム７２を図４に示す状態に戻し（ｓ８）、本処理を終了する。
【００５３】
また、発券装置１は、ｓ２で収納空間７０ａにクリーニング媒体７ａが収納されていると判定すると、ソレノイド７３を制御し、第２のアーム７２を引き（ｓ９）、収納空間７０ａに収納されているクリーニング媒体７ａを、図５に示すように、繰出／収納ベルト７４で押圧し、収納空間７０ａから、媒体搬送路３ａに繰り出す（ｓ１０）。ローラ８２、８３が、収納空間７０ａから繰り出されたクリーニング媒体７ａの先端部を挟持し、媒体搬送路３ａに送り出す（ｓ１０）。このとき、繰出／収納ベルト７４は、クリーニング媒体７ａを収納空間７０ａから媒体搬送路３ａに繰り出す方向に回転している。また、ローラ８２、８３は、クリーニング媒体７ａを媒体搬送路３ａ側へ送り出す方向に回転している。また、媒体搬送路３ａは、クリーニング媒体７ａを発券口１１へ搬送する方向に駆動している。
【００５４】
発券装置１は、収納空間７０ａから媒体搬送路３ａに繰り出したクリーニング媒体７ａを発券口１１の手前まで（磁気ヘッド４ａよりも発券口１１側まで）搬送すると（ｓ１１）、媒体搬送路３ａにおけるクリーニング媒体７ａの搬送方向を逆転する（ｓ１２）。すなわち、クリーニング媒体７ａを収納空間７０ａに向けて搬送する。また、ｓ１２では、繰出／収納ベルト７４も、クリーニング媒体７ａを収納空間７０ａに収納する方向に逆転する。
【００５５】
発券装置１は、媒体搬送路３ａに沿って搬送されてきたクリーニング媒体７ａであって、ローラ８２、８３によって挟持され、収納空間７０ａ側に搬送されてきたクリーニング媒体７ａを、繰出／収納ベルト７４で収納空間７０ａに収納すると（ｓ１３）、ソレノイド７３を制御し、第２のアーム７２を図４に示す状態に戻し（ｓ１４）、本処理を終了する。
【００５６】
このように、この発券装置１は、クリーニング媒体７ａを収納空間７０ａに収納するとき、および、収納空間７０ａから媒体搬送路３ａに繰り出すときに、繰出／収納ベルト７４をクリーニング媒体７ａに当接させ、それ以外のときには、繰出／収納ベルト７４をクリーニング媒体７ａから離間させる。これにより、繰出／収納ベルト７４と、クリーニング媒体７ａと、が長時間にわたって当接しつづけるのを防止できる。したがって、収納空間７０ａに収納しているクリーニング媒体７ａに、アルコール等の洗浄液を染み込ませていても、化学反応による繰出／収納ベルト７４の劣化速度を抑えることができる。
【００５７】
なお、上記の例では、繰出／収納ベルト７４を２つのローラ７４ａ、７４ｂに張架するとしたが、３つ以上のローラに張架する構成としてもよい。また、２つのローラ７４ａ、７４ｂに張架した繰出／収納ベルト７４を、ゴムローラに置き換えてもよい。また、媒体搬送路３ａも、媒体を挟持して搬送する構成であればよく、ベルト構成してもよいし、ローラで構成してもよい。
【００５８】
また、上記の説明では、ソレノイド７３で第２のアーム７２を引くことにより、第１のアーム７１を回動させて、繰出／収納ベルト７４をクリーニング媒体７ａに当接する構成としたが、収納空間７０ａに収納しているクリーニング媒体７ａに対して繰出／収納ベルト７４を接離する方向に駆動できる構成であれば他の構成であってもよい。例えば、ソレノイド７３が第１のアーム７１を直接回動させる構成であってもよいし、ソレノイド７３に替えてモータ等の駆動源を用いてもよい。
【符号の説明】
【００５９】
１…発券装置
２…制御部
３…搬送部
３ａ…媒体搬送路
４…磁気データ処理部
４ａ…磁気ヘッド
５…印字処理部
５ａ…印字ヘッド
６…カット部
７…クリーニング媒体収納部
７ａ…クリーニング媒体
１０…ロール紙収納部
１０ａ…ロール紙
１１…発券口
１２…券挿入口
７０…収納部材
７０ａ…収納空間
７０ｂ…回転軸
７１…第１のアーム
７１ａ…回転軸
７２…第２のアーム
７２ａ…連結点
７３…ソレノイド
７４…収納ベルト
７４ａ、７４ｂ…ローラ
８０…バネ
８１…バネ
【図１】
0005496045.tif 000002
【図２】
0005496045.tif 000003
【図３】
0005496045.tif 000004
【図４】
0005496045.tif 000005
【図５】
0005496045.tif 000006
【図６】
0005496045.tif 000007